Podtech/llm-jp-corpus-v4-ja_patent huggingface dataset:
(57)【特許請求の範囲】
【請求項１】
枠Ａ１の表と裏に、一定間隔になるように平行に配置された網Ｂ２と、網Ｃ２からなり、網Ｂ２には、縦糸Ｂ２１、横糸Ｂ２２が、交差してクロスに張られ、網Ｃ２には縦糸Ｃ２１と横糸Ｃ２２が交差してクロスに張られ、縦糸と横糸の夫々のクロスの位置が重ならないように、互い違いになるように配置することで、外部からの雨の侵入を防ぎ、内外光を遮光するよう縦糸Ｂ２１と横糸Ｂ２２の幅Ｌ１、Ｌ２を、それぞれの間隔Ｌ３、Ｌ４の半分以上にしたことを特徴とする網戸用の網ユニット。
【請求項２】
上記網Ｂ２と網Ｃ２を白くすることで、外部の光又は内部の光を、網Ｂ２と網Ｃ２の間で乱反射を起こすことで、より遮光するようにしたことを特徴とする請求項１記載の網戸用に網ユニット。
【発明の詳細な説明】
【技術分野】
【０００１】
空気を通し、雨の侵入を防止し、夜間外部から室内が見えにくくした網戸用の網を収容する網ユニットに関する。  
【背景技術】
【０００２】
今までの網戸は、一枚の網を張ったものであった。
【発明の概要】
【発明が解決しようとする課題】
【０００３】
網戸は、一枚の網を張ったものであるので、夜間は、網戸を通して、中が見えやすく、夏の夕立のときに、雨が内部にはいるのを侵入防止できなかった。
【課題を解決するための手段】
【０００４】
枠Ａ１と、一定間隔になるように平行に配置された網Ｂ２と、網Ｃ２からなり、網Ｂ２には、縦糸Ｂ２１、横糸Ｂ２２が、交差してクロスに張られ、網Ｃ２には縦糸Ｃ２１と横糸Ｃ２２が交差してクロスに張られ、網Ｂ２と網Ｃ２の縦糸と横糸の夫々のクロスの位置は互い違いになるように配置することで、外光を遮光するようにし、雨の侵入を防止したことを特徴とする網戸用に網ユニット。
【０００５】
上記網Ｂ２と網Ｃ２を白くすることで、外部の光又は内部の光を、網Ｂ２と網Ｃ２の間で乱反射を起こすことで、より遮光するようにしたことを特徴とする請求項１記載の網戸用に網ユニット。
【発明の効果】
【０００６】
本発明により、夜間は、網戸を通して、中が見えにくく、目隠しができ、夏の夕立のときに、雨が内部に侵入するのを防止できる。
【図面の簡単な説明】
【０００７】
【図１】本発明の網戸用の網ユニットの構成（実施例１）
【図２】本発明の網戸用の網ユニットの網の構成
【図３】発明の網戸用の網ユニットを用いた網戸
【図４】本発明の網戸用の網ユニットの構成（実施例２）（ａ）分離した状態  （ｂ）組み合わせた状態
【発明を実施するための形態】
【０００８】
図１は、本発明の網戸用の網ユニットの構成（実施例１）である。
本発明の網戸の網ユニットＡは、網を支える枠Ａ１と表面の網Ｂ２と裏面の網Ｃ２からなる。表面の網Ｂ２は、枠Ａ１の表側にクロスに張られ、裏面の網Ｃ２が、枠Ａ１の裏側にクロスに張られる。網Ｂ２と網Ｃ２は、一定の距離をたもち、
網Ｂ２と網Ｃ２の網のクロスの位置が重ならないように、互い違いになるように張られる。
【０００９】
図２は、本発明の網戸用の網ユニットの網の構成である。
網Ｂ２には、幅がＬ１の縦糸Ｂ２１、幅がＬ２の横糸Ｂ２２が、縦糸の間隔がＬ３、横糸の間隔がＬ４になるようにクロスに張られている。同様に、網Ｃ２には幅がＬ１の縦糸Ｃ２１、幅がＬ２の横糸Ｃ２２が、縦糸の間隔がＬ３、横糸の間隔がＬ４になるようにクロスに張られている。網Ａ１と網Ｂ１の縦糸と横糸のクロスの位置が重ならないように互い違いになるように配置している。
網Ｂ２の面と網Ｃ２の面は、一定の間隔のスペーサＳを有する。
幅Ｌ１、Ｌ２と、間隔Ｌ３、Ｌ４は、光の透過ぐあいに応じて設計する。
【００１０】
図３は発明の網戸用の網ユニットを用いた網戸である。
本発明の網ユニットＡを網戸Ｐの枠Ｐ１に装填した状態をしめす。
【００１１】
図４は本発明の網戸用の網ユニットの構成（実施例２）である。
実施例１では、一つの枠Ａ１に２つの網Ｂ２、Ｃ２を保持していたのに対し、実施例２では、２つの枠Ａ２とＡ３のそれぞれに、網Ｂ２、Ｃ２を備え、それらをスペーサで結合している。
網の枠Ａ２に一つのＤ２網を貼り、同形の別の網の枠Ａ３に一つの網Ｅ２を貼り、枠Ａ２網Ｄ２と枠Ａ３網Ｅ２を一定間隔になるようにスペースを空けて、あわせて接続して、網Ｅ２と網Ｆ２の網のクロスが互い違いになるようにしてもよい。
【００１２】
実施例１と２における、網Ｂ２と網Ｃ２の網に白い素材を使用したり、白い素材を塗布するなどにより、白くすることで、外部の光又は内部の光を、網Ｂ２と網Ｃ２の間で乱反射を起こすことで、より遮光できる。
【産業上の利用可能性】
【００１３】
夜間は、網戸を通して、中が見えにくく、夏の夕立のときに、雨が内部にはいるのを防止できる網戸を提供する。
【符号の説明】
【００１４】
Ａ、Ｃ    網ユニット
Ａ１、Ａ２，Ａ３    枠
Ｂ２、Ｃ２、Ｄ２、Ｅ２    網
Ｂ２１、Ｃ２１  縦糸
Ｂ２２、Ｃ２２  横糸
Ｓ            スペーサ
Ｌ１          縦糸の太さ
Ｌ２          横糸の太さ
Ｌ３          縦糸の間隔
Ｌ４          横糸の間隔
Ｐ    網戸
Ｐ１  網戸の枠
【要約】
【課題】
網戸の網は、一枚の網を張ったものであるので、夜間は、網戸を通して、中が見えやすく、夏の夕立のときに、雨が内部にはいるのを侵入防止できなかった
【解決手段】
枠Ａ１と、一定間隔になるように平行に配置された網Ｂ２と、網Ｃ２からなり、網Ｂ２には、縦糸Ｂ２１、横糸Ｂ２２が、交差してクロスに張られ、網Ｃ２には縦糸Ｃ２１と横糸Ｃ２２が交差してクロスに張られ、網Ａ１と網Ｂ１の縦糸と横糸の夫々のクロスの位置は互い違いになるように配置することで、外光を遮光するようにしたことを特徴とする網戸用に網ユニット。
【選択図】図１【図１】
0005887005.tif 000002
【図２】
0005887005.tif 000003
【図３】
0005887005.tif 000004
【図４】
0005887005.tif 000005
(57)【特許請求の範囲】
【請求項１】
０℃の海水温で畜養することを特徴とする活ウニの畜養方法。
【請求項２】
外壁面に冷媒管を配置し、内壁面に温度センサーを垂直に突起させて冷却を行う真水槽内に、海水槽を浸す請求項１の活ウニの蓄養方法において、冷凍機器が稼働し、前記内壁面に形成される氷層が前記真水槽中央に向かって成長し、温度を感知する前記温度センター先端が製氷域に内包され０℃以下になると冷凍機器の稼働が停止し、その後、形成された製氷が真水で融解され、前記温度センサー先端が０℃域の真水域に戻ると冷凍機器が再稼働することを繰り返す制御方法。
【発明の詳細な説明】
【技術分野】
【０００１】  本発明は、氷を利用し海水の低温化を図る活ウニの畜養方法に関するものである。
【背景技術】
【０００２】  低温で雑菌が少ない海洋深層水を利用したカレイの畜養施設がある（例えば、非特許文献１参照）。
【先行技術文献】
【非特許文献】
【０００３】
【非特許文献１】  根室振興局ホームページ「畜養施設と衛生管理型漁港の見学」
【発明の概要】
【発明が解決しようとする課題】
【０００４】  北海道宗谷管内では、観光シーズン中に観光客などに、生きたウニを提供するため、生け簀や海水槽で給餌しながらウニを畜養しているが、数日後には身痩せしたウニとなり、殻付きの活ウニを提供することができなかった。したがって、むき身を海水に浸け冷蔵庫に保管し提供しているが、これでは収穫後の二日三日の提供で終わってしまう。また、海象の変化で常時ウニ漁ができず、凪の数時間の漁に限られることから、本発明は、２週間程度は身痩せず、低温の海洋深層水を利用しなくとも、何処でも利用できるような畜養方法を、漁業関係者や観光関係者に提供することを目的とするものである。
【課題を解決するための手段】
【０００５】  本発明は、上記の目的を達成するために、熱侵入の少ない防熱した施設内に、氷を詰めたコンテナと、氷を混入した真水槽を設置し、その真水槽に海水を満たした海水槽を浸すことで、海洋深層水より温度の低い畜養環境を作り、活ウニを畜養する方法である。【０００６】  また、氷の入手が容易でない場合には、海水槽を二層構造とし、その層内に真水を入れ、冷凍機器を利用して真水の一部を製氷化し、層内が真水と氷が共存する海水槽を作り、海洋深層水より温度の低い畜養環境を作り、活ウニを畜養する方法である。
【発明の効果】
【０００７】  氷の利用は、何処でも利用が可能で、大掛かりな設備が必要な海洋深層水より、温度の低い畜養環境を作ることができる。【０００８】  活ウニを畜養する海水槽の実測した温度は０℃となり、この環境下のウニの飼育では、餌を食べなくなり槽内の移動もなくなり、２週間後の殻を割った調査でも、飼育当初と変わらない実入りとなった。【０００９】  これにより、海象の変化にも左右されず、観光客へ新鮮な活ウニを提供する期間が延びることとなり、観光客の減少傾向が続くなか、食を中心とした新たな観光を作り出すことも可能となる。
【図面の簡単な説明】
【００１０】
【図１】  氷の混在した真水槽に海水槽を浸した活ウニ畜養方法の断面図
【図２】  二層構造海水槽の断面図
【図３】  二層内の氷と真水が混在する制御に関する断面図
【発明を実施するための形態】
【００１１】  以下、本発明の実施の形態を図１〜図３に基づいて説明する。
【００１２】  図１は、本発明の活ウニ畜養方法の一実施形態で、設置する各水槽に外気負荷を軽減するための断熱性能を有する施設１と、その施設内を自然対流で低温化するための冷熱源を収納する氷収納メッシュコンテナ１ａと、氷の融解水等の排水口１ｂを設けるが、本発明の氷とは、雪や氷などの自然氷と冷凍機器で作った人工氷を氷と言う。
【００１３】  この施設内に、真水に氷を混入した真水槽２と、真水を０℃にするための氷２ａと、氷の充填で水槽外に水が溢れださないように取り付ける放水口２ｂを設ける。
【００１４】  活ウニを飼育する海水槽３と、海水槽内に空気を送り水中の酸素濃度を維持するための送気機器３ａと、活ウニの排せつ物で海水中のアンモニア濃度が高くなった場合に希釈するための海水予備容器３ｂと、海水をくみ上げるための送水ポンプ３ｃと、海水および排せつ物を流しだすための放水口３ｄから構成する。
【００１５】  図２は、本発明の活ウニ畜養方法で、真水を製氷化するための冷凍機器１を設置し、外層２ａと内層２ｂから構成され隙間のある二層構造の海水槽２の外層２ａの外側となる外壁面に冷媒管１ａを取り付け、これを防熱材１ｂで保護し、外層２ａの内側に温度を感知するセンサー１ｃを取り付け、センサー１ｃを制御する制御装置１ｄを備え付ける。
【００１６】  二層構造の海水槽２の層内に注水口２ｃから真水２ｄを入れ、排水用の真水排水口２ｅを取り付け、槽内ｆに活ウニを飼育するための海水２ｇを満たし、海水に空気を送る送気装置２ｈを取り付け、海水や汚物を排出するための海水排水口２ｉと熱侵入を抑えるためと遮光のための簡易蓋２ｊを取り付ける。
【００１７】  図３は、外層２ａの内壁面側に製氷が形成され、冷却が進み内壁面から製氷が厚さを増して、センサー１ｃが内包され製氷温度帯２ｋになると、冷凍機器１が稼働を停止し、その後、形成された製氷が真水で融解され、センサー１ｃが真水温度帯２１に戻ると、冷凍機器１が再稼働するよう、温度を感知する外壁面からの離れ具合で冷凍機器を制御する。
【実施例】
【００１８】  実証試験の結果では、氷が混入する真水槽の水温は実測で０℃となり、この真水槽に活ウニを畜養するための海水の入った海水槽を真水槽に浸すと、海水槽の水温も実測で０℃となった。【００１９】  この０℃の海水槽で活ウニを飼育すると、放流直後から餌を食べなくなり、活ウニは棘および管足も動かさず活動を停止した。【００２０】  海水槽の水温が１℃では、活ウニは管足をわずかに動かし、２℃以上の海水温では、ゆっくりと活動を再開した。【００２１】  ０℃の海水槽で畜養している活ウニを４℃の海水槽に移すと、活動を停止していた活ウニが、数分後にはふたたび棘・管足を動かし始め、餌のコンブへと移動し、生きている殻付のウニとし提供することが可能となった。【００２２】  また、畜養２週間後の活ウニの身を割り、身痩せを確認したが実証試験の結果では身痩せはしていなかった。
【符号の説明】
【００２３】［図１］
１  断熱性能を有する施設
１ａ  氷収納メッシュコンテナ
１ｂ  排水口
２  真水槽
２ａ  氷
２ｂ  真水放水口
３  海水槽
３ａ  送気機器
３ｂ  海水予備容器
３ｃ  送水ポンプ
３ｄ  海水放水口
［図２］
１  冷凍機器
１ａ  冷媒管
１ｂ  防熱材
１ｃ  センサー
１ｄ  制御装置
２  海水槽
２ａ  外層
２ｂ  内層
２ｃ  注水口
２ｄ  真水
２ｅ  真水排水口
２ｆ  槽内
２ｇ  海水
２ｈ  送気装置
２ｉ  海水排水口
２ｊ  簡易蓋
［図３］
２ｋ  製氷温度帯
２ｌ  真水温度帯
【図１】
0005887585.tif 000002
【図２】
0005887585.tif 000003
【図３】
0005887585.tif 000004
(57)【特許請求の範囲】
【請求項１】
シャフト取り付け部品と本体とを含み、前記シャフト取り付け部品には、前記本体に対する回転中心から離した位置に複数の穴が設けられ、前記本体には、各々が前記複数の穴の各々に対応する複数のネジ穴が設けられ前記複数の穴のいずれか一つを選んで、前期シャフト取り付け部品と前記本体とを固定することにより、ライ角度が調整できるゴルフパター。
【発明の詳細な説明】
【技術分野】
【０００１】      本発明は、ゴルフパターのライ角度調整装置付きゴルフパターを提供する。
【背景の技術】
【０００２】      ゴルフパターの角度調整において従来方法はパターを角度測定器付専用の台座に固定し角度を計りながら特殊治具を使用し手動操作でシャフト又は、ネック部を曲げて調整していた。
【発明の概要】
【発明が解決しようとする課題】
【０００３】      ゴルフパターの角度調整する場合には調整箇所のシャフト又は、ネック部を曲げて調整する必要がありそれには専門技術が要求されしかも複数回の調整は強度的にも難事である。
そこで特殊治具を使用しないで容易に角度調整が可能な方法が望まれている。
【課題を解決するための手段】
【０００４】      ゴルフパターのシャフト取り付け部分と本体部分を分離させる。
ライ角度設定後にシャフト取り付け部品と本体を複数のネジ又は、ピン用いて固定する。シャフト取り付け部品には微細なライ角度の調整を確保するため中心部よりできるだけ遠くにしかも複数の穴に分散することで設定目盛が広がり角度設定が容易にできる装置とした。
【発明の効果】
【０００５】    ゴルフプレイヤーに対してライ角度の合ったパターが技術の向上につながるが、オーダーメイドするには高価なものとなる。
【図面の簡単な説明】
【０００６】
【図１】本発明の実施例装置を示す後方の斜視図である。
【図２】本発明の実施例装置を示す正面の断面図である。
【符号の説明】
【０００７】１．    シャフト調整角度
２．    シャフト調整角度
３．    シャフト調整角度
４．    シャフト調整角度
５．    シャフト調整角度
６．    シャフト調整角度
７．    シャフト調整角度
８．    シャフト固定ネジ穴
９．    シャフト固定ネジ穴
１０．  シャフト固定ネジ穴
１１．  シャフト固定ネジ穴
１２．  シャフト固定ネジ穴
１３．  シャフト固定ネジ穴
１４．  シャフト固定ネジ穴
１５．  シャフト取付け部品
１６．  シャフト調整角度
１７．  シャフト固定角度
１８．  シャフト
１９．  パター本体
２２．  パター本体の固定ネジ穴
２３．  パター本体の固定ネジ穴
２４．  パター本体の固定ネジ穴
２５．  パター本体の固定ネジ穴
２６．  パター本体の固定ネジ穴
２７．  パター本体の固定ネジ穴
２８．  パター本体の固定ネジ穴
【発明を実施するための形態】
【０００８】以下、図面に基づいて、本発明の実施形態であるライ角度調整装置付きパターについて説明する。
図１は、本発明の実施形態であり後方の斜視図となっており、パター本体１９にシャフト取付け部品１５が接合された状態である。
シャフト１８を例えばシャフト固定穴８に合わせてネジを締めるとあらかじめ設定されたライ角度に固定される。
同じ要領でシャフト固定穴９〜１４まで設定が可能である。
【０００９】図２は実施形態の正面の説明図である。
シャフト取付け部品１５に設けられた複数のネジ穴がシャフト固定角度１７とシャフト調整角度１６の角度差を現している。
例えばシャフト固定ネジ穴８からシャフト固定ネジ穴９に到る広いピッチ間を移動させてもシャフト調整角度１からシャフト調整角度２への微細な移動となる、このことはシャフト固定ネジ穴８からシャフト固定ネジ穴９へ到る広いピッチでの移動に見えるがこれは錯覚を利用しており実際はパター本体１９側に設けてあるパター本体ネジ穴２３への微細な移動である。
同様に繰り返えすことでシャフト固定ネジ穴１０からシャフト固定ネジ穴１４までの設定が可能である。
【図１】
0006008170.tif 000002
【図２】
0006008170.tif 000003
(57)【特許請求の範囲】
【請求項１】
帆船において、風下にたなびくことができる流線型の浮きをメインセール先端のセール保持リングに付加したことを特徴とする帆船。
【請求項２】
帆船において、通常は内部に気体の入っていない浮きで、マスト先端が衝撃加重を受けたときに膨らむ流線型のエアーバッグを、メインセール先端のセール保持リングに付加したことを特徴とする帆船。
【発明の詳細な説明】
【技術分野】
【０００１】
この発明は、ヨットなどのように帆を利用して大気中を吹く風の力で推力を得て進む船舶（以下、単に「帆船」という）の航行時の安全性を向上させる技術に関する。          
【０００２】
帆船が大気中の風から推進力を得て走行するときは推力と同時に帆が風から受けた力を船体に伝える際に帆柱（マスト）を介して伝えるために船を転覆させる力（以下、「転倒モーメント」という）を生じる。
【０００３】
この転倒モーメントを削減するために多くの工夫がなされてきた。例えば、図１に示すように帆の上端では帆の幅を減らし、マストの根元付近で帆の幅が最大になるように作られている。（モーメントは、力の大きさと腕の長さの積の総和であるので）
【発明の概要】
【発明が解決しようとする課題】
【０００４】
しかしながら、ヨット競技などでは他の帆船より少しでも風上へ、少しでも速度を上げて帆走しようとするために、帆船の舵の向きと帆桁（ブーム）の向きを調節し、乗員の体重を風上側の舷側にかけて転倒モーメントを少しでも減らすなどの、微妙な操作が必要となる。
【０００５】
特に向かい風のときは、正面からは風に向かえないため、交互に左右の舷側から風を斜めに受けながらタッキングといわれる風上に向かってジグザグ走行を強いられる。
【０００６】
船体の向きが変わると同時に、風上になる舷側が変わるので遅滞なく舵の向き、ブームの方向と角度を的確に調節しないと、船体は転覆の危険にさらされることになる。
【０００７】
これらの、高度な操船技術を駆使して行う競技中には、少しの操作ミスが帆船の転覆限界を超えてしまうことがある。
【０００８】
マスト先端が水中に入ることもあり、湖沼などのように水深が浅いところでは時には、湖底の泥にマストが刺さってしまい帆走の続行が不能になり乗員の生命さえ危険にさらされる。
【０００９】
このような危険を避けるために、マストの先端に球状の浮きを取り付けて、マストの水没を避けるような工夫はあった。
【００１０】
しかしながら、マストの先端に球状の浮きを取り付けることは、浮きそのものが風から受ける転倒モーメントを増やしてしまい、転覆の危険性を削減する効果はさほどなかった。
【課題を解決するための手段】
【００１１】
本発明は、上記課題を解決するためになされたもので、請求項１に記載の帆船は、帆船において、風下にたなびくことができる流線型の浮きをメインセール先端のセール保持リングに付加したことを特徴とする。
【００１２】
請求項２に記載の帆船は、帆船において、通常は内部に気体の入っていない浮きで、マスト先端が衝撃加重を受けたときに膨らむ流線型のエアーバッグを、メインセール先端のセール保持リングに付加したことを特徴とする。
【発明の効果】
【００１３】
第1の発明、図２の浮きＨは流線型をしており、風力で風上に対して正対するため球形の浮きに比較した場合に転倒モーメントを大幅に削減することができ、帆船の安全性が向上する。
【００１４】
また、第２の発明である、図３の浮きＨは、通常内部に気体が入っておらず十分な浮力を有する従来の球体の浮きより空気抵抗を減じて転倒モーメントを大幅に削減することができ、帆船の安全性が向上する。
【００１５】
なおかつ、転倒したときは着水することによりエアバッグＨが働き安全である。
【図面の簡単な説明】
【００１６】
【図１】図１は、典型的なヨットの側面図である。
【図２】図２は、請求項１にかかるヨットの側面図であり、セール先端に流線型浮きＨを、セール保持リングＧに自由に風下を向くことができるようロープで結ばれている。
【図３】図３は、請求項２にかかるヨットの側面図であり、通常は内部に気体が入っていない、マスト先端が衝撃荷重を受けたときに膨らむエアーバッグＨを、セール保持リングＧにロープIで結ばれている。
【図４】図４は請求項１にかかる浮きＨを、ロープＩによりセール保持リングＧに装着する箇所の拡大図である。
【図５】図５は請求項２にかかる浮きＨを、ロープＩによりセール保持リングＧに装着する箇所の拡大図である。
【発明を実施するための形態】
【００１７】
流線型浮きＨをセール保持リングＧに付加する。小型ヨットでは強風によってヨットが傾き、マストが海中へ沈むことにより転覆する。本発明の流線型浮きＨをセール保持リングＧに付加することにより、その浮力によりマストが海面に留まり、転覆するのを防ぐことができる。
【産業上の利用可能性】
【００１８】
競技用、ヨットなどの帆船の運航。
【符号の説明】
【００１９】
Ａ  ：水面
Ｂ  ：船体
Ｃ  ：マスト
Ｄ  ： ジブ
Ｅ  ：メインセール
Ｆ  ：帆桁（ブーム）
Ｇ  ：セール保持リング
Ｈ  ：浮き
Ｉ  ：ロープ
Ｊ  ：センターボード
Ｋ  ：ラダー
【図１】
0006008209.tif 000002
【図２】
0006008209.tif 000003
【図３】
0006008209.tif 000004
【図４】
0006008209.tif 000005
【図５】
0006008209.tif 000006